【手続補正書】
【提出日】平成26年11月11日(2014.11.11)
【手続補正１】
【補正対象書類名】特許請求の範囲
【補正対象項目名】全文
【補正方法】変更
【補正の内容】
【特許請求の範囲】
【請求項１】
ワイヤレスデバイスを動作させる方法であって、
ローカル基地局までの経路損失または距離がしきい値よりも大きい場合、前記ローカル基地局までの前記経路損失または前記距離のうちの１つに基づいて、複数のピア発見リソースグルーピングのうちの第１のピア発見リソースグルーピングを使用することを決定することと、前記ローカル基地局までの前記経路損失または前記距離が前記しきい値よりも小さい場合、前記ローカル基地局までの前記経路損失または前記距離のうちの１つに基づいて、複数のピア発見リソースグルーピングのうちの第２のピア発見リソースグルーピングを使用することを決定することと、前記第１のピア発見リソースグルーピングは、第１の複数の同一リソースサブセットを有し、前記第２のピア発見リソースグルーピングは、第２の複数の同一リソースサブセットを有し、前記第１の複数の同一リソースサブセットの各々は、前記第２の複数の同一リソースサブセットの各々とは異なる期間または異なる数のサブキャリアのうちの少なくとも１つに広がっている、
ここにおいて、前記第１のピア発見リソースグルーピングまたは前記第２のピア発見リソースグルーピングは、隣接基地局のリソースと重なる、
前記第１のピア発見リソースグルーピングまたは前記第２のピア発見リソースグルーピングのうちの前記決定された方の前記同一リソースサブセットのうちの１つのサブセット上でピア発見信号を送信することと
を備える方法。
【請求項２】
前記第１の複数の同一リソースサブセットの各々は、前記第２の複数の同一リソースサブセットの各々とは異なる期間および異なる数のサブキャリアに広がっている、請求項１に記載の方法。
【請求項３】
前記第１の複数の同一リソースサブセットの各々は、第１の期間および第１の数のサブキャリアに広がっており、前記第２の複数の同一リソースサブセットの各々は、第２の期間および第２の数のサブキャリアに広がっており、前記第１の期間は、前記第２の期間よりも短く、前記第１の数のサブキャリアは、前記第２の数のサブキャリアよりも多い、請求項２に記載の方法。
【請求項４】
前記第１の複数の同一リソースサブセットの各々は、前記第２の複数の同一リソースサブセットの各々とは異なる数のサブキャリアに広がっており、前記第１の複数の同一リソースサブセットの各々は、第１の数のサブキャリアに広がっており、前記第２の複数の同一リソースサブセットの各々は、第２の数のサブキャリアに広がっており、前記第１の数のサブキャリアは、前記第２の数のサブキャリアよりも多い、請求項１に記載の方法。
【請求項５】
前記第１または第２のピア発見リソースグルーピングを使用することを前記決定することは、
第１のしきい値よりも大きいサービング基地局までの経路損失または距離を前記ワイヤレスデバイスが有するときに、前記第１の複数の同一リソースサブセットにおけるリソースを使用することを決定することと、
第２のしきい値よりも小さい前記サービング基地局までの経路損失または距離を前記ワイヤレスデバイスが有するときに、前記第２の複数の同一リソースサブセットにおけるリソースを使用することを決定することと
を備える、請求項４に記載の方法。
【請求項６】
前記第１または第２のピア発見リソースグルーピングを使用することを前記決定することは、
第１のしきい値よりも小さい近隣基地局までの経路損失または距離を前記ワイヤレスデバイスが有するときに、前記第１の複数の同一リソースサブセットにおけるリソースを使用することを決定することと、
第２のしきい値よりも大きい前記近隣基地局までの経路損失または距離を前記ワイヤレスデバイスが有するときに、前記第２の複数の同一リソースサブセットにおけるリソースを使用することを決定することと
を備える、請求項４に記載の方法。
【請求項７】
ワイヤレス通信のための装置であって、
ローカル基地局までの経路損失または距離がしきい値よりも大きい場合、前記ローカル基地局までの前記経路損失または前記距離のうちの１つに基づいて、複数のピア発見リソースグルーピングのうちの第１のピア発見リソースグルーピングを使用することを決定するための手段と、前記ローカル基地局までの前記経路損失または前記距離が前記しきい値よりも小さい場合、前記ローカル基地局までの前記経路損失または前記距離のうちの１つに基づいて、複数のピア発見リソースグルーピングのうちの第２のピア発見リソースグルーピングを使用することを決定するための手段と、前記第１のピア発見リソースグルーピングは、第１の複数の同一リソースサブセットを有し、前記第２のピア発見リソースグルーピングは、第２の複数の同一リソースサブセットを有し、前記第１の複数の同一リソースサブセットの各々は、前記第２の複数の同一リソースサブセットの各々とは異なる期間または異なる数のサブキャリアのうちの少なくとも１つに広がっている、
ここにおいて、前記第１のピア発見リソースグルーピングまたは前記第２のピア発見リソースグルーピングは、隣接基地局のリソースと重なる、
前記第１のピア発見リソースグルーピングまたは前記第２のピア発見リソースグルーピングのうちの前記決定された方の前記同一リソースサブセットのうちの１つのサブセット上でピア発見信号を送信するための手段と
を備える装置。
【請求項８】
前記第１の複数の同一リソースサブセットの各々は、前記第２の複数の同一リソースサブセットの各々とは異なる期間および異なる数のサブキャリアに広がっている、請求項７に記載の装置。
【請求項９】
前記第１の複数の同一リソースサブセットの各々は、第１の期間および第１の数のサブキャリアに広がっており、前記第２の複数の同一リソースサブセットの各々は、第２の期間および第２の数のサブキャリアに広がっており、前記第１の期間は、前記第２の期間よりも短く、前記第１の数のサブキャリアは、前記第２の数のサブキャリアよりも多い、請求項８に記載の装置。
【請求項１０】
前記第１の複数の同一リソースサブセットの各々は、前記第２の複数の同一リソースサブセットの各々とは異なる数のサブキャリアに広がっており、前記第１の複数の同一リソースサブセットの各々は、第１の数のサブキャリアに広がっており、前記第２の複数の同一リソースサブセットの各々は、第２の数のサブキャリアに広がっており、前記第１の数のサブキャリアは、前記第２の数のサブキャリアよりも多い、請求項７に記載の装置。
【請求項１１】
前記第１または第２のピア発見リソースグルーピングを使用することを決定するための前記手段は、
第１のしきい値よりも大きいサービング基地局までの経路損失または距離を前記装置が有するときに、前記第１の複数の同一リソースサブセットにおけるリソースを使用することを決定し、
第２のしきい値よりも小さい前記サービング基地局までの経路損失または距離を前記装置が有するときに、前記第２の複数の同一リソースサブセットにおけるリソースを使用することを決定する
ように構成される、請求項１０に記載の装置。
【請求項１２】
前記第１または第２のピア発見リソースグルーピングを使用することを決定するための前記手段は、
第１のしきい値よりも小さい近隣基地局までの経路損失または距離を前記装置が有するときに、前記第１の複数の同一リソースサブセットにおけるリソースを使用することを決定し、
第２のしきい値よりも大きい前記近隣基地局までの経路損失または距離を前記装置が有するときに、前記第２の複数の同一リソースサブセットにおけるリソースを使用することを決定する
ように構成される、請求項１０に記載の装置。
【請求項１３】
ワイヤレス通信のための装置であって、
メモリと、
前記メモリに結合された少なくとも１つのプロセッサと、
ローカル基地局までの経路損失または距離がしきい値よりも大きい場合、前記ローカル基地局までの前記経路損失または前記距離のうちの１つに基づいて、複数のピア発見リソースグルーピングのうちの第１のピア発見リソースグルーピングを使用することを決定し、前記ローカル基地局までの前記経路損失または前記距離が前記しきい値よりも小さい場合、前記ローカル基地局までの前記経路損失または前記距離のうちの１つに基づいて、複数のピア発見リソースグルーピングのうちの第２のピア発見リソースグルーピングを使用することを決定し、前記第１のピア発見リソースグルーピングは、第１の複数の同一リソースサブセットを有し、前記第２のピア発見リソースグルーピングは、第２の複数の同一リソースサブセットを有し、前記第１の複数の同一リソースサブセットの各々は、前記第２の複数の同一リソースサブセットの各々とは異なる期間または異なる数のサブキャリアのうちの少なくとも１つに広がっている、
ここにおいて、前記第１のピア発見リソースグルーピングまたは前記第２のピア発見リソースグルーピングは、隣接基地局のリソースと重なる、
前記第１のピア発見リソースグルーピングまたは前記第２のピア発見リソースグルーピングのうちの前記決定された方の前記同一リソースサブセットのうちの１つのサブセット上でピア発見信号を送信する
ように構成された処理システムと、
を備える装置。
【請求項１４】
前記第１の複数の同一リソースサブセットの各々は、前記第２の複数の同一リソースサブセットの各々とは異なる期間および異なる数のサブキャリアに広がっている、請求項１３に記載の装置。
【請求項１５】
前記第１の複数の同一リソースサブセットの各々は、第１の期間および第１の数のサブキャリアに広がっており、前記第２の複数の同一リソースサブセットの各々は、第２の期間および第２の数のサブキャリアに広がっており、前記第１の期間は、前記第２の期間よりも短く、前記第１の数のサブキャリアは、前記第２の数のサブキャリアよりも多い、請求項１４に記載の装置。
【請求項１６】
前記第１の複数の同一リソースサブセットの各々は、前記第２の複数の同一リソースサブセットの各々とは異なる数のサブキャリアに広がっており、前記第１の複数の同一リソースサブセットの各々は、第１の数のサブキャリアに広がっており、前記第２の複数の同一リソースサブセットの各々は、第２の数のサブキャリアに広がっており、前記第１の数のサブキャリアは、前記第２の数のサブキャリアよりも多い、請求項１３に記載の装置。
【請求項１７】
前記第１または第２のピア発見リソースグルーピングを使用することを決定するために、前記処理システムは、
第１のしきい値よりも大きいサービング基地局までの経路損失または距離を前記装置が有するときに、前記第１の複数の同一リソースサブセットにおけるリソースを使用することを決定し、
第２のしきい値よりも小さい前記サービング基地局までの経路損失または距離を前記装置が有するときに、前記第２の複数の同一リソースサブセットにおけるリソースを使用することを決定する
ように構成される、請求項１６に記載の装置。
【請求項１８】
前記第１または第２のピア発見リソースグルーピングを使用することを決定するために、前記処理システムは、
第１のしきい値よりも小さい近隣基地局までの経路損失または距離を前記装置が有するときに、前記第１の複数の同一リソースサブセットにおけるリソースを使用することを決定し、
第２のしきい値よりも大きい前記近隣基地局までの経路損失または距離を前記装置が有するときに、前記第２の複数の同一リソースサブセットにおけるリソースを使用することを決定する
ように構成される、請求項１６に記載の装置。
【請求項１９】
ワイヤレスデバイスにおけるコンピュータプログラム製品であって、
ローカル基地局までの経路損失または距離がしきい値よりも大きい場合、前記ローカル基地局までの前記経路損失または前記距離のうちの１つに基づいて、複数のピア発見リソースグルーピングのうちの第１のピア発見リソースグルーピングを使用することを決定することと、前記ローカル基地局までの前記経路損失または前記距離が前記しきい値よりも小さい場合、前記ローカル基地局までの前記経路損失または前記距離のうちの１つに基づいて、複数のピア発見リソースグルーピングのうちの第２のピア発見リソースグルーピングを使用することを決定することと、前記第１のピア発見リソースグルーピングは、第１の複数の同一リソースサブセットを有し、前記第２のピア発見リソースグルーピングは、第２の複数の同一リソースサブセットを有し、前記第１の複数の同一リソースサブセットの各々は、前記第２の複数の同一リソースサブセットの各々とは異なる期間または異なる数のサブキャリアのうちの少なくとも１つに広がっている、
ここにおいて、前記第１のピア発見リソースグルーピングまたは前記第２のピア発見リソースグルーピングは、隣接基地局のリソースと重なる、
前記第１のピア発見リソースグルーピングまたは前記第２のピア発見リソースグルーピングのうちの前記決定された方の前記同一リソースサブセットのうちの１つのサブセット上でピア発見信号を送信することと
を行うためのコード記憶した非一時的コンピュータ可読媒体、
を備えるコンピュータプログラム製品。
【請求項２０】
前記第１の複数の同一リソースサブセットの各々は、前記第２の複数の同一リソースサブセットの各々とは異なる期間および異なる数のサブキャリアに広がっている、請求項１９に記載のコンピュータプログラム製品。
【請求項２１】
前記第１の複数の同一リソースサブセットの各々は、第１の期間および第１の数のサブキャリアに広がっており、前記第２の複数の同一リソースサブセットの各々は、第２の期間および第２の数のサブキャリアに広がっており、前記第１の期間は、前記第２の期間よりも短く、前記第１の数のサブキャリアは、前記第２の数のサブキャリアよりも多い、請求項２０に記載のコンピュータプログラム製品。
【請求項２２】
前記第１の複数の同一リソースサブセットの各々は、前記第２の複数の同一リソースサブセットの各々とは異なる数のサブキャリアに広がっており、前記第１の複数の同一リソースサブセットの各々は、第１の数のサブキャリアに広がっており、前記第２の複数の同一リソースサブセットの各々は、第２の数のサブキャリアに広がっており、前記第１の数のサブキャリアは、前記第２の数のサブキャリアよりも多い、請求項１９に記載のコンピュータプログラム製品。
【請求項２３】
前記第１または第２のピア発見リソースグルーピングを使用することを前記決定することは、
第１のしきい値よりも大きいサービング基地局までの経路損失または距離を前記ワイヤレスデバイスが有するときに、前記第１の複数の同一リソースサブセットにおけるリソースを使用することを決定することと、
第２のしきい値よりも小さい前記サービング基地局までの経路損失または距離を前記ワイヤレスデバイスが有するときに、前記第２の複数の同一リソースサブセットにおけるリソースを使用することを決定することと
を備える、請求項２２に記載のコンピュータプログラム製品。
【請求項２４】
前記第１または第２のピア発見リソースグルーピングを使用することを前記決定することは、
第１のしきい値よりも小さい近隣基地局までの経路損失または距離を前記ワイヤレスデバイスが有するときに、前記第１の複数の同一リソースサブセットにおけるリソースを使用することを決定することと、
第２のしきい値よりも大きい前記近隣基地局までの経路損失または距離を前記ワイヤレスデバイスが有するときに、前記第２の複数の同一リソースサブセットにおけるリソースを使用することを決定することと
を備える、請求項２２に記載のコンピュータプログラム製品。